(57)【要約】【課題】設置角度を調整可能な表示装置の転倒を防止する補助脚を提供する。【解決手段】筐体と、筐体に収容される表示部とを有する表示装置を、筐体の裏側において回動可能に筐体に対し接続され、設置面に設置される第１の脚部と、設置面に設置される固定部と、固定部と筐体とを所定の範囲で回動可能に接続する可動接続部とを有するよう構成する。設置面に対する筐体の角度を変更して設置可能な表示装置の設置面に設置される固定部と、表示装置の脚部を収納可能な第１の凹部を有し、固定部に対し所定の範囲で回動できるように接続される可動接続部とを有するよう、表示装置用補助脚を構成する。【選択図】図１
2010062246.tif 000002
【特許請求の範囲】
【請求項１】
筐体と、前記筐体に収容される表示部とを有する表示装置であって、
前記筐体の裏側において回動可能に前記筐体に対し接続され、設置面に設置される第１の脚部と、
前記設置面に設置される固定部と、
前記固定部と前記筐体とを所定の範囲で回動可能に接続する可動接続部とを有することを特徴とする、表示装置。
【請求項２】
前記筐体と接続され、前記可動接続部に設けられた第１の凹部に収納されることによって前記可動接続部と接続可能であり、かつ、前記設置面に設置可能である第２の脚部をさらに有することを特徴とする、請求項１に記載の表示装置。
【請求項３】
前記可動接続部が、前記筐体の下端を収納可能な第２の凹部をさらに有することを特徴とする、請求項２に記載の表示装置。
【請求項４】
設置面に対する筐体の角度を変更して設置可能な表示装置の前記設置面に設置される固定部と、
前記表示装置の脚部を収納可能な第１の凹部を有し、前記固定部に対し所定の範囲で回動できるように接続される可動接続部とを有することを特徴とする、表示装置用補助脚。
【請求項５】
前記可動接続部が、前記筐体の下端を収納可能な第２の凹部をさらに有することを特徴とする、請求項４に記載の表示装置用補助脚。
【発明の詳細な説明】
【技術分野】
【０００１】
本発明は、転倒を防止するための補助脚を備えた表示装置および表示装置の転倒を防止する表示装置用補助脚に関する。
【背景技術】
【０００２】
近年、限られたスペースへの電子機器の配置を可能とすべく、電子機器筐体の体積減少、特に設置面積を減少させたスリム化が求められている。電子機器の設置面積を減少させると、電子機器筐体の重心から設置面に下ろした垂線の足から設置面端までの距離が短くなるため、電子機器筐体に横方向の力をかけて設置面の一端を中心軸として回転させたときに、重心から設置面に下ろした垂線の足が中心軸を超えるまでに要する力が小さくなり、電子機器が転倒しやすくなる。
【０００３】
特許文献１には、筺体の据置面外に突出することが可能な複数の脚部を有し、脚部の備える回転部を回転することにより複数の脚部を据置面外への突出ないし筐体への収容が可能なスタンド機構が開示されている。これにより、電子機器の縦置き時に確実に転倒を防止することが可能となるとしている。
【０００４】
【特許文献１】特開２００５−３４０２９６号公報
【発明の開示】
【発明が解決しようとする課題】
【０００５】
表示装置を配置する場合、観者の視線に合わせて筐体を適切な角度に調整可能であることが望まれる。例えば図３に示す従来技術の表示装置では、筐体５の両側面下端から設置面に向けて延伸される前脚（補助脚８ａおよび８ｂにそれぞれ収容されるため不図示。）と、表示部６に対向する面の略中心に所定の範囲で上下方向に回動可能に接続された後脚７とで、筐体５を支える構造となっている。これにより、後脚７の筐体５に対する角度を調整することで、表示部６が観者に対して適切な角度となる設置を可能としている。
【０００６】
このような構造の表示装置では、後脚７と筐体５との角度を小さくすると、２つの前脚と後脚７とで構成される筐体５の設置面は小さくなり、転倒しやすくなる。図３に示す表示装置では、前脚に補助脚８ａ、８ｂを取りつけることで筐体５の設置面を拡大し、表示部６の向きへの転倒防止を図っている。
【０００７】
従来技術の補助脚８ａの詳細な構造を図４に示す。図４（１）−ａにおけるＡ−Ａ断面図である図４（２）−ａで示すとおり、補助脚は、脚部４０に、筐体５の前脚を収容可能な穴４１を設けて構成されている。筐体５の前脚の設置面に対する角度は、後脚７の筐体５に対する角度を調整することによって所定の範囲で変動するため、穴４１はその範囲に対応できるだけの余裕をもって設けられている。
【０００８】
後脚７と筐体５との角度を小さくして直立に近い状態にすると、前脚の前端面が穴４１の最前面に当たる。このとき、筐体５に対して表示部６の向きに力が加わると、前脚は穴４１の前方最上端４２を支点として回転する。この場合、重心から設置面に下ろした垂線の足が超えて転倒することとなる中心軸は、前脚と穴４１の前方最上端４２との接点を通る直線となり、脚部４０による設置面の拡大の効果を奏することができない。さらに、筐体５に加わる力が所定の範囲を超えると、前脚の先端が穴４１の後方最上端４３を乗り越えてしまい、筐体５は表示部６を設置面に向けてそのまま転倒してしまう。
【０００９】
そこで、本発明は、設置角度を調整可能な表示装置において、直立に近い状態に調整されても転倒を防止できる補助脚を提供することを目的とする。
【課題を解決するための手段】
【００１０】
本発明の表示装置は、筐体と、筐体に収容される表示部とを有する表示装置であって、筐体の裏側において回動可能に筐体に対し接続され、設置面に設置される第１の脚部と、設置面に設置される固定部と、固定部と筐体とを所定の範囲で回動可能に接続する可動接続部とを有することを特徴とする。
【００１１】
本発明の表示装置用補助脚は、設置面に対する筐体の角度を変更して設置可能な表示装置の設置面に設置される固定部と、表示装置の脚部を収納可能な第１の凹部を有し、固定部に対し所定の範囲で回動できるように接続される可動接続部とを有することを特徴とする。
【発明の効果】
【００１２】
本発明によれば、設置角度を調整可能な表示装置において、直立に近い状態に調整されても転倒を防止できる補助脚を提供できる。
【発明を実施するための最良の形態】
【００１３】
以下、図面を参照して本発明を実施するための最良の形態について詳細に説明する。図１は、本発明の実施形態である、転倒を防止するための補助脚を備えた表示装置の構造を示す図である。図２は、本発明の実施形態である、表示装置の転倒を防止する表示装置用補助脚の構造を示す図である。
【００１４】
図１を参照すると、本発明の実施形態である表示装置は、筐体１、表示部２、後脚３および補助脚４ａならびに４ｂを有する。また、本表示装置は、筐体１の両側面下端から設置面に向けて延伸される一対の前脚も有するが、補助脚４ａおよび４ｂにそれぞれ収容されるため、図示していない。なお、図１において、（１）は左側面図であり、（２）は正面図である。
【００１５】
筐体１は、表示装置の表示機能を発揮するための部品を収容する容器であり、プラスチックや金属によって構成可能であるがこれに限らない。表示部２は、入力された情報を視認可能な形式に変換して出力する出力機器であり、具体的には液晶ディスプレイ（ＬＣＤ）やプラズマディスプレイ、有機ＥＬディスプレイによって構成可能であるがこれに限らない。
【００１６】
後脚３は、筐体１の、表示部２に対向する面の略中心に、所定の範囲で上下方向に回動可能に接続された部材であり、図示しない前脚とともに筐体１を支える。後脚３は、具体的には、プラスチックや金属によって構成可能であるがこれに限らない。
【００１７】
補助脚４ａおよび４ｂは、前脚を収容し、表示装置が筐体１において表示部２の配置される方向に転倒することを防止する。補助脚４ａおよび４ｂの構造は、図２を用いて詳述する。補助脚４ａおよび４ｂは、プラスチックや金属によって構成可能であるがこれに限らない。
【００１８】
図２を参照すると、本発明の実施形態である表示装置用補助脚は、固定部１０、可動接続部２０および回転軸３０を有する。なお、図２において、（１）−ａは上面図、（１）−ｂは左側面図、（１）−ｃは正面図、（１）−ｄは右側面図、（１）−ｅは底面図であり、（２）は（１）−ａのＡ−Ａ切断面における断面図である。
【００１９】
固定部１０は、底面が設置面に接するよう設置され、後脚３の筐体１に対する角度を調整することによって所定の範囲で変動する筐体１の前脚の設置面に対する角度に応じて収容可能な穴１１を設けて構成されている。固定部１０は、プラスチックや金属によって構成可能であるがこれに限らない。
【００２０】
可動接続部２０は、筐体１と固定部１０とを所定の範囲で回動可能に接続する。具体的には、可動接続部２０は、回転軸３０によって固定部１０に回動可能に接続され、筐体１の前脚を収納可能な穴２１を設けて構成されている。また、可動接続部２０は、筐体１の前脚近傍の外形に対応して成形された筐体受け部２２が設けられている。可動接続部２０は、プラスチックや金属によって構成可能であるがこれに限らない。
【００２１】
以上のような構成をとることにより、筐体１の前脚は、補助脚の可動部２０に設けられた穴２１に収容されるため、後脚３の筐体１に対する角度を調整することによって筐体１の角度を変動させても、補助脚に安定して収容され続ける。そのため、後脚３と筐体１との角度を小さくしたときに、筐体１に対して表示部２の向きに力が加わっても、筐体１の重心から設置面に下ろした垂線の足が固定部１０の底面最前部を越えるまでは転倒することがないため、効果的に表示装置の転倒を防止することができる。
【００２２】
なお、本実施形態の表示装置では、筐体１の前脚が別部材の補助脚４ａおよび４ｂに収納されるよう構成されているが、これを一体で構成し、前脚が固定部１０と可動接続部２０とを有するように構成しても、同様の転倒防止効果を得ることができる。
【図面の簡単な説明】
【００２３】
【図１】本発明の実施形態である、転倒を防止するための補助脚を備えた表示装置の構造を示す図である。
【図２】本発明の実施形態である、表示装置の転倒を防止する表示装置用補助脚の構造を示す図である。
【図３】従来技術の転倒を防止するための補助脚を備えた表示装置の構造を示す図である。
【図４】従来技術の表示装置の転倒を防止する表示装置用補助脚の構造を示す図である。
【符号の説明】
【００２４】
１    筐体
２    表示部
３    後脚
４ａ、４ｂ  補助脚
ｌ０  固定部
２０  可動接続部
３０  回転軸
【図１】
2010062246.tif 000003
【図２】
2010062246.tif 000004
【図３】
2010062246.tif 000005
【図４】
2010062246.tif 000006